(57)【特許請求の範囲】
【請求項１】
鏡餅を模した形状をなす鏡餅容器と、この鏡餅容器を保持すると共に自立して前記鏡餅容器を展示することのできるパッケージと、を含む鏡餅飾り具であって、
前記パッケージが、所定形状をなす一枚又は複数枚のシートを組み立てることによって構成され、且つ、
前記鏡餅容器が前方に露出されるように保持する正面部と、
前記正面部の上部と連結され、正面部と重ね合った位置から連結部位を支軸として前後方向に開閉自在な背面部と、
正面部及び背面部のいずれか一方と連結されると共に、背面部を開いたときに正面部及び背面部の他方側に係止して、前記開かれた状態を保持する少なくとも左右一対の側面部と、
前記背面部と連結されると共に、折り曲げられて正面部と背面部との間に収納されており、幅の狭い場所にパッケージを載置する際に引き出される転倒防止用の舌片部と、を有し、
前記舌片部を載置場所に固定する粘着シートをさらに備えるか、又は、前記舌片部の一面に粘着層が形成されていることを特徴とする鏡餅飾り具。
【請求項２】
背面部を開いて側面部が正面部側と係止したときに、横方向からみた底辺が「への字状」となることを特徴とする請求項１に記載の鏡餅飾り具。
【請求項３】
前記転倒防止用の舌片部が、その長さ方向の途中で舌片部を折り曲げるための折曲線を少なくとも１以上有していることを特徴とする請求項１又は２に記載の鏡餅飾り具。
【請求項４】
前記粘着シートが凸字状の平面形状をなし、凸部の裾の部分が曲線状，円弧状，矩形状あるいは多角形状に切り欠かれていることを特徴とする請求項１〜３のいずれか１項に記載の鏡餅飾り具。
【請求項５】
前記正面部又は背面部と連結され、正面部と背面部を閉じた状態の鏡餅飾り具を吊下げるための吊下片をさらに備えており、
壁掛け方式、自立方式、あるいはテレビの上などの幅の狭い場所に自立させる方式のいずれでも飾ることができる請求項１〜４のいずれか１項に記載の鏡餅飾り具。
【請求項６】
前記パッケージを構成するシートが、一枚の厚紙によって形成されており、
鏡餅容器が嵌め込まれる開口部が面内に形成され、その外形が矩形状をなす正面部と、
正面部の上辺に折り曲げ自在に連結され、その外形が矩形状をなす背面部と、
前記背面部の側辺に折り曲げ自在に連結され、その外形が背面部の上部から底部に向かって拡がる三角形状をなし、且つ、その外方側の側辺に係止部が折り曲げ自在に連結されている側面部と、
前記背面部の底辺に折り曲げ自在に連結された転倒防止用の舌片部と、
正面部の底辺に折り曲げ自在に連結され、前記側面部の係止部が係止される開口部が面内に形成されている被係止面部と、
正面部の側辺に折り曲げ自在に連結され、前記被係止面部の角部が差し込まれる開口部が面内に形成され、前記鏡餅容器を後方から支持する支持面部と、
を備えていることを特徴とする請求項１〜５のいずれか１項に記載の鏡餅飾り具。
【発明の詳細な説明】
【技術分野】
【０００１】
本発明は、例えば正月に飾り付けられる鏡餅を模した鏡餅飾り具に関する。
【背景技術】
【０００２】
鏡餅は、代々継承されている日本の伝統として、正月に家庭や店舗などで飾られている。近年においては、鏡餅の形状を模した容器に餅を包装した商品が販売等されており、消費者は、この商品を正月に鏡餅として飾った後、容器から餅を取り出して食することができる（例えば、特許文献１〜４を参照）。
【０００３】
パッケージ化された鏡餅飾り具は、テレビの上などに飾られることも多い。しかしながら、かつて鏡餅飾り具の置き場として好まれていたテレビは、薄型化が進んでおり、特許文献１〜４のように奥行きのある鏡餅飾り具では飾り付けることが難しくなっている。すなわち、従来の鏡餅飾り具は、飾り付ける場所が制限されるという問題がある。
【０００４】
また、従来の鏡餅飾り具は、特許文献１の鏡餅飾り具のように壁掛けにするか、あるいは特許文献２及び３の鏡餅飾り具のように自立させて飾るかのどちらかである。すなわち、従来の鏡餅飾り具は、飾り付ける方式に自由度がない。
【０００５】
特許文献４の鏡餅飾り具については、自立方式と吊下げ方式のどちらでも飾り付けできる構成ではある。しかし、自立させて飾るときにはクリップが邪魔になり、クリップで吊下げて飾るときには鏡餅が下を向いてしまう場合がある。すなわち、自立方式と吊下げ方式のどちらでも飾り付け可能な構成とした反面、どちらの方式を選択しても、他方の方式に起因する欠点が浮かび上がる。
【先行技術文献】
【特許文献】
【０００６】
【特許文献１】実用新案登録第３０４９４６０号公報
【特許文献２】特開平１１−２３５２６７号公報
【特許文献３】特開２００１−１０６３３号公報
【特許文献４】実用新案登録第３１４０２２７号公報
【発明の概要】
【発明が解決しようとする課題】
【０００７】
本発明は、上述した問題点を解決するためになされたものであり、その目的は、例えばパッケージ化された鏡餅飾り具において、例えば薄型テレビの上など、幅の狭い場所にも飾ることができ、飾り付ける場所に制限が少ない鏡餅飾り具を提供することにある。
【０００８】
また、本発明の他の目的は、自立方式と吊下げ方式のどちらでも飾り付けることが可能であり、どちらの方式を選択しても、他方の方式に起因する欠点がないか、あっても僅かである鏡餅飾り具を提供することにある。
【課題を解決するための手段】
【０００９】
本発明の鏡餅飾り具は、鏡餅を模した形状をなす鏡餅容器と、この鏡餅容器を保持すると共に自立して前記鏡餅容器を展示することのできるパッケージと、を含む鏡餅飾り具であって、前記パッケージが、所定形状をなす一枚又は複数枚のシートを組み立てることによって構成され、且つ、前記鏡餅容器が前方に露出されるように保持する正面部と、前記正面部の上部と連結され、正面部と重ね合った位置から連結部位を支軸として前後方向に開閉自在な背面部と、正面部及び背面部のいずれか一方と連結されると共に、背面部を開いたときに正面部及び背面部の他方側に係止して、前記開かれた状態を保持する少なくとも左右一対の側面部と、前記背面部と連結されると共に、折り曲げられて正面部と背面部との間に収納されており、幅の狭い場所にパッケージを載置する際に引き出される転倒防止用の舌片部と、を有し、前記舌片部を載置場所に固定する粘着シートをさらに備えるか、又は、前記舌片部の一面に粘着層が形成されていることを特徴とする。
【００１０】
幅の狭い場所に安定して飾り付けるために、背面部を開いて側面部が正面部側と係止したときに、横方向からみた底辺が「への字状」となっていることが好ましい。また、前記転倒防止用の舌片部が、その長さ方向の途中で舌片部を折り曲げるための折曲線を少なくとも１以上有していることが好ましい。さらに、剥がれを防止するために、前記粘着シートが凸字状の平面形状をなし、凸部の裾の部分が曲線状，円弧状，矩形状あるいは多角形状に切り欠かれていることが好ましい。
【００１１】
さらに前記鏡餅飾り具は、例えば、前記正面部又は背面部と連結され、正面部と背面部を閉じた状態の鏡餅飾り具を吊下げるための吊下片をさらに備えており、壁掛け方式、自立方式、あるいはテレビの上などの幅の狭い場所に自立させる方式のいずれでも飾ることが可能である。
【００１２】
前記パッケージを構成するシートとしては、例えば、一枚の厚紙によって形成されており、鏡餅容器が嵌め込まれる開口部が面内に形成され、その外形が矩形状をなす正面部と、正面部の上辺に折り曲げ自在に連結され、その外形が矩形状をなす背面部と、前記背面部の側辺に折り曲げ自在に連結され、その外形が背面部の上部から底部に向かって拡がる三角形状をなし、且つ、その外方側の側辺に係止部が折り曲げ自在に連結されている側面部と、前記背面部の底辺に折り曲げ自在に連結された転倒防止用の舌片部と、正面部の底辺に折り曲げ自在に連結され、前記側面部の係止部が係止される開口部が面内に形成されている被係止面部と、正面部の側辺に折り曲げ自在に連結され、前記被係止面部の角部が差し込まれる開口部が面内に形成され、前記鏡餅容器を後方から支持する支持面部と、を備えている形状とすることができる。
【発明の効果】
【００１３】
本発明の鏡餅飾り具によれば、鏡餅容器を保持するパッケージが、所定形状をなす一枚又は複数枚のシートを組み立てることによって構成され、且つ、前記鏡餅容器が前方に露出されるように保持する正面部と、前記正面部の上部と連結され、正面部と重ね合った位置から連結部位を支軸として扇状に開かれた位置まで、前後方向に開閉自在な背面部と、正面部及び背面部のいずれか一方と連結されると共に、背面部を開いたときに正面部及び背面部の他方側に係止して、前記開かれた状態を保持する少なくとも左右一対の側面部と、前記背面部と連結されると共に、折り曲げられて正面部と背面部との間に収納されており、幅の狭い場所にパッケージを載置する際に引き出される転倒防止用の舌片部と、を有し、前記舌片部を載置場所に固定する粘着シートをさらに備えるか、又は、前記舌片部の一面に粘着層が形成されている構成としたことによって、飾り付ける場所が幅の広いところに制限されず、例えば薄型テレビの上など、幅の狭いところにも安定して飾り付けることが可能となった。
【００１４】
さらに本願発明の鏡餅飾り具によれば、前述のパッケージを備えたことにより、壁掛けにするときには正面部と背面部とを閉じた状態とし、自立させるときには背面部を開いた状態とする。さらに、幅の狭い場所に自立させるときには転倒防止用の舌片部を引出して載置場所に固定する。このように、本願発明の鏡餅飾り具は、飾り付ける方式および場所に応じてパッケージが変形するので、採用しなかった他方の方式等に起因する問題が少ない。
【図面の簡単な説明】
【００１５】
【図１】本発明の好ましい実施形態に従う鏡餅飾り具である。
【図２】上記鏡餅飾り具が実現する３つの飾り付け方式を示す図である。
【図３】上記鏡餅飾り具が有する鏡餅容器である。
【図４】上記鏡餅飾り具が有するパッケージの展開図である。
【図５】上記パッケージの組み立て手順を示す図である。
【図６】上記鏡餅飾り具を薄型テレビの上に載置した状態を示す図である。
【図７】上記鏡餅飾り具の変化パターンを示す図である。
【図８】上記鏡餅飾り具を薄型テレビの上に載置した状態を示す図である。
【図９】上記鏡餅飾り具を薄型テレビの上に載置した状態を示す図である。
【図１０】上記パッケージの変形例を示す展開図である。
【発明を実施するための形態】
【００１６】
以下、本発明の好ましい実施形態に従う鏡餅飾り具について、添付図面を参照しながら詳しく説明する。但し、以下に説明する実施形態によって本発明の技術的範囲は何ら限定解釈されることはない。
【００１７】
図１は、本実施形態に従う鏡餅飾り具の外観図であり、正面図と側面図を示している。図１に示されるように、鏡餅飾り具１は、二段重ねにした鏡餅の外形を模した鏡餅容器２と、この鏡餅容器２を保持した状態で飾り付けられる保持具としてのパッケージ３とを有し、例えば水引４１，御幣４２および扇４３などの飾り４が装飾されている。なお、飾り４は任意の構成であり、必ずしも有しなくともよい。さらに、図１に示したような水引４１，御幣４２および扇４３に限らず、正月にちなんだ他の飾り４によって装飾されていてもよい。
【００１８】
鏡餅容器２は、例えば鏡餅を縦半分にした形状である。鏡餅容器４は、その内部空間に食用の餅（不図示）を収納することができる。また、パッケージ３は、鏡餅容器２を保持する正面部３１と、正面部３１の上部（例えば、上辺）に連結されると共に、この連結部分を支軸にして前後方向に開閉自在な背面部３２を有する。図１は、正面部３１と背面部３２を重ねた状態（すなわち、パッケージ３を閉じた状態）を示している。鏡餅飾り具１は、この閉じた状態で透明の包装袋（不図示）に収容され、店頭などに陳列して販売することができる。
【００１９】
本実施形態の鏡餅飾り具１は、図２に模式的に示される３つのパターンで飾り付けることができる。まず第１のパターンとして、図２（ａ）に示されるように、パッケージ３を閉じた状態において、パッケージ３の上部に収容されていた吊下片３３を引き起こし、この吊下片３３に形成されている孔を、例えば壁に設けられたピンや紐などに通すことによって壁掛けにすることができる。
【００２０】
次に、第２のパターンとして、図２（ｂ）に示されるように、背面部３２を後方に引っ張ってパッケージ３を開いた状態とし、例えば台の上などの幅の広い場所に鏡餅飾り具１を自立させて飾り付けることができる。本実施形態の鏡餅飾り具１は、従来品に比して奥行きが小さいため、窓枠の棚，神棚，台所などのちょっとした場所に飾り付けることが可能である。なお詳しくは後述するが、パッケージ３を開いた状態にすると、正面部３１と背面部３２との間に収容されていた側面部３４が出現し、この開かれた状態が保持される。
【００２１】
次に、第３のパターンとして、図２（ｃ）に示されるように、パッケージ３を開いた状態から更に転倒防止用の舌片部（転倒防止部）３５を後方に引出し、例えば薄型テレビＴなどの幅の狭い場所に鏡餅飾り具１を自立させることができる。後方に引出した舌片部３５は、パッケージ３に同封されている粘着シート５を用いてテレビＴに固定することができる。すなわち、鏡餅飾り具１は、餅を収納した鏡餅容器２が前方寄りに位置しているので、その重心も前方寄りにある。従って、後方に引出した舌片部３５をテレビＴに固定することによって、薄型テレビＴの上に安定して飾り付けることが可能である。なお、幅の狭い場所に載置するにおいては、図２（ｃ）のように正面部３１の裏面（厳密には、後述する被係止面部）と側面部３４の底辺とが接地する場合だけでなく、図２（ｂ）と同様に正面部３１と背面部３２の底辺が接地する場合もある。
【００２２】
続いて、本実施形態に従う鏡餅容器２とパッケージ３について、図３及び図４を参照しながら詳細に説明する。図３には、鏡餅容器２の正面図と縦断面図を示す。図４には、パッケージ３の展開図を示す。
【００２３】
鏡餅容器２は、例えば厚さ数ミリの材料によって形成された容器であって、図３に示すように、鏡餅の外形を模した部分２１と、その周囲に形成されている縁部２２を有する。鏡餅の外形を模した部分２１は、鏡餅を縦半分にした形状となっており、その内側領域が食用の餅（不図示）を収容する空間を形成している。このような鏡餅容器２は、例えばプラスチックなどの樹脂材料によって成形することができる。なお、鏡餅容器２が模する鏡餅は、二段重ねにした鏡餅に制限されることはない。
【００２４】
パッケージ３は、例えば厚みが数ミリ程度の厚紙や樹脂などのシートを用い、一例として図４に示す展開図のように形成されている。なお、図中の一点破線は、それぞれ折目線を示しており、この折目線のところで折り曲げてパッケージ３を組み立てるようになっている。パッケージ３は、図４に示すように、縦長の長方形状に形成された正面部３１を有する。この正面部３１には、鏡餅容器２の鏡餅を模した部分２１が嵌め込まれる開口部３１ａが形成されている。鏡餅容器２は、正面部３１の裏面側から前方に露出するように嵌め込まれ、その縁部２２が正面部３１に接することで止まるようになっている。正面部３１の表面は、図示は省略するが、絵や文字が描かれて装飾されていてもよい。
【００２５】
正面部３１の上辺には、正面部３１と同じ大きさか、或いは長手方向が正面部３１よりも若干短い背面部３２が折り曲げ自在に連結されている。背面部３２の上辺側には、パッケージ３を吊下げる際に引き起こされる吊下片３３が形成されている。吊下片３３の面内には、例えばピンや紐などを通すための孔３３ａが形成されている。
【００２６】
また、背面部３２の長手方向の側辺には、三角形状の側面部３６が折り曲げ自在に連結されている。側面部３６は、例えば概ね直角三角形の形状を有し、その斜辺が背面部３２の側辺と同じ長さになっている。さらに、直角三角形の隣辺の部分には、爪状の係止部３６ａが折り曲げ自在に連結されている。側面部３６に形成されている切り欠き３６ｂは、パッケージ３を開いた際に水引４１を支持する紐が干渉しないようにするためのものである（図２（ｂ）参照）。このような三角形状の部分と係止部３６ａを有する側面部３６は、背面部３２の両側に左右対称に形成され、一対の側面部３６を構成している。
【００２７】
さらに、背面部３２の底辺には、転倒防止用の舌片部３５が折り曲げ自在に連結されている。舌片部３５は、一例として、その底辺が背面部３２の底辺と同じになるように裾拡がりに形成されている。さらに、舌片部３５は、その長さ方向の途中で舌片部３５を折り曲げるための折曲線３５ａを有する。この折曲線３５ａは、詳しくは後述するが、載置場所（例えば、テレビＴの幅や形状）に応じて舌片部３５を変形させるために設けられている。図４の舌片部３５は、１本の折目線３５ａを有しているが、２本以上あってもよい。
【００２８】
一方、正面部３１の底辺には、概ね長方形状の被係止面部３７が折り曲げ自在に連結されている。被係止面部３７の面内には、パッケージ３を開いたときに側面部３６の係止部３６ａが係止される左右一対の開口部３７ａが形成されている。図４に示す開口部３７ａの形状は、パッケージ３を組み立てる際に側面部３６を差し込んでおくと、パッケージ３を開いた際に係止部３６ａが約９０度折れ曲がった状態となって係止するように設計されたものである。従って、例えば購入者は、背面部３２を手で引っ張るだけで簡単にパッケージ３を開いた状態（図２（ｂ）参照）にすることができ、しかも係止部３６ａが係止されることによってその状態が保持される。
【００２９】
さらに、正面部３１の側辺には、概ね長方形状の支持面部３８が折り曲げ自在に連結されている。支持面部３８は、開口部３１ａに鏡餅容器２が嵌め込まれた後に折り曲げられ、鏡餅容器２及び内部の餅が脱落しないように後方から蓋をする役割がある。さらに、支持面部３８の面内には、円弧状の開口部と、直線状の切り込みによる差込部３８ａが形成されている。この差込部３８ａは、折り曲げた被係止面部３７の角部３７ｂを差し込むことによって被係止面部３７を固定するためのものである。さらに、支持面部３８から正面部３１に跨るように円形の開口部３８ｂが形成されている。この開口部３８ｂは、支持面部３８を折り曲げることによって半円形の切り欠きを形成し、この切り欠き内に水引４１を支持する紐が配置される（図５（ｃ）参照）。
【００３０】
このような形状を有するパッケージ３は、例えば図５に示すような手順で組み立てることができる。すなわち、まず、餅を収容した鏡餅容器２を開口部３１ａに嵌め込んだ後、図５（ａ）に示すように、正面部３１側では支持面部３８を折り曲げて鏡餅容器２に裏面側から蓋をする。一方、背面部３２側では舌片部３５を折り曲げる。
【００３１】
次に、図５（ｂ）に示すように、正面部３１側では被係止面部３７を折り曲げて、差込部３８ａに角部３７ｂを差し込む。一方、背面部３２側では側面部３６を折り曲げる。次に、図５（ｃ）に示すように、水引４１を支持する紐４１ａを装着する。この紐４１ａは、例えば芯材にゴムを用いた伸縮性の紐を用いることができる。勿論、水引４１で装飾しない場合、この工程は省略される。
【００３２】
次に、図５（ｄ）に示すように、背面部３２を折り返しながら係止部３６ａおよび側面部３６の一部を開口部３７ａに差し込んでいき、正面部３１に重なるまで背面部３２を折り曲げる。最後に、図示は省略するが、御幣４２や扇４３などの飾り４を取り付けることによって、図１に示した鏡餅飾り具１が完成する。御幣４２や扇４３は、例えは粘着剤や粘着テープなどを用いて取り付けることができるが、これに限定はされない。
【００３３】
続いて、転倒防止用の舌片部３５を固定するのに用いられる粘着シート５について、図６を参照しながら説明する。粘着シート５は、図６に示されるように、平面形状が概ね凸字状に形成され、凸部５ａの裾の部分が切り欠かれている（５ｂ）。切り欠き５ｂの形状は、特に限定されず、例えば曲線状，円弧状，矩形状あるいは多角形状などに切り欠くことができる。粘着シート５は、例えば厚みが数ミリの樹脂シートの一面に粘着層を形成した構成とすることができる。粘着層は、例えば粘着剤をシートの一面に塗布することによって形成することができる。既述したように、鏡餅飾り具１は、餅を収納した鏡餅容器２が前方寄りに位置しているので、その重心も前方寄りにある。そのため、テレビＴの上では舌片部３５が飾り具１本体に引っ張られる傾向にある。従って、例えば単純な四角形状の粘着シート５を用いると剥がれてしまうことが多い。図６に示した粘着シート５の形状は、本発明者らの試行錯誤の成果として導き出されたものであり、長期に渡って剥がれを防止することができる。
【００３４】
すなわち、平面形状を凸字状とし、且つ、凸部の裾の部分に切り欠き５ｂを形成したことにより、図６（ｂ）に模式的に示すように、テレビＴの表面からの剥がれ（１００）が拡がっていくことが抑えられる。ここで、粘着シート５は、鏡餅飾り具１を飾り付けている期間中はしっかりと張り付いていることが望まれる一方で、取り外すときには簡単に剥がれ、しかも粘着剤がテレビＴの表面に残らないことが望まれる。そのため、使用する粘着剤の配慮は重要であり、本実施形態では好ましい一例として、アクリル系再剥離（弱粘着）タイプの粘着剤を用いる。
【００３５】
以上のように構成された本実施形態の鏡餅飾り具１は、図２（ａ）〜（ｃ）に示したような３つのパターンで飾り付けることができる。すなわち、壁掛け方式，幅の広い場所でのスタンド方式，および幅の狭い場所でのスタンド方式である。そして本実施形態の鏡餅飾り具１は、図７に示すように、これら３つの方式に適合するようにパッケージ３が変形自在であるという特長がある。その結果、本実施形態の鏡餅飾り具１は、選択した方式できれいに飾り付けることが可能であり、しかも選択しなかった方式に起因する欠点が浮かび上がることが少ない。選択しなかった方式に起因する欠点とは、例えば本明細書の「背景技術」に記載したようなものが一例として挙げられる。
【００３６】
さらに、本実施形態の鏡餅飾り具１によれば、図４に例示した展開図のパッケージ３を用いたことによって、背面部３２を引っ張ってパッケージ３を開いたときに、図８に模式的に示すように底辺が「への字状」になる。より詳しくは、側面部３６と被係止面部３７とによって形成され、正面部３１寄りにその頂点が位置する「への字状」である。このような底部を形成した結果、同図に示されるように、種々の幅のテレビＴに適合させることが可能である。
【００３７】
さらには、長さ方向に折り曲げ自在な舌片部３５を備えたことにより、図９に模式的に示すように、種々の形状を有するテレビＴに適合させることが可能である。
【００３８】
なお、パッケージ３は、鏡餅容器２が前方に露出されるように保持する正面部３１と、前記正面部３１の上部と連結され、正面部３１と重ね合った位置から連結部位を支軸として開かれた位置まで、前後方向に開閉自在な背面部３２と、背面部３２と連結されると共に、背面部３２を開いたときに正面部３１に係止して前記開かれた状態を保持する少なくとも左右一対の側面部３６と、背面部３２と連結されると共に、折り曲げられて正面部３１と背面部３２との間に収納されており、幅の狭い場所にパッケージ３を載置する際に引き出される転倒防止用の舌片部３５と、を有していればよく、図４に示した展開図の形状に限定されることはない。他の展開図の一例としては、図１０に示すような形状を挙げることができる。さらに、必ずしも一枚のシートによって構成されなくともよく、複数枚のシートを組み合わせて構成されていてもよい。
【００３９】
さらに、図４及び図９に示したパッケージ３は、側面部３６が背面部３２と連結されており、正面部３１側に係止する構成であるが、正面部３１と連結し、背面部３２側に係止する構成としてもよい。
【００４０】
また、粘着シート５を用いて舌片部３５を固定する構成に限定されることはなく、例えば舌片部３５の一面に粘着層を形成するようにしてもよい。さらに、舌片部３５と吊下部３３を省略して図７（ｂ）のみの飾付け方式としてもよく、舌片部３５のみ省略して図７（ａ）と（ｂ）の２つのパターンでの飾付け方式としてもよい。
【００４１】
以上、本発明を具体的な実施形態に則して詳細に説明したが、形式や細部についての種々の置換、変形、変更等が、特許請求の範囲の記載により規定されるような本発明の精神及び範囲から逸脱することなく行われることが可能であることは、当該技術分野における通常の知識を有する者には明らかである。従って、本発明の範囲は、前述の実施形態及び添付図面に限定されるものではなく、特許請求の範囲の記載及びこれと均等なものに基づいて定められるべきである。
【符号の説明】
【００４２】
１    鏡餅飾り具
２    鏡餅容器
３    パッケージ
３１  正面部
３２  背面部
３４  側面部
３５  舌片部
４    飾り
５    粘着シート
【図１】
0005517773.tif 000002
【図２】
0005517773.tif 000003
【図３】
0005517773.tif 000004
【図４】
0005517773.tif 000005
【図５】
0005517773.tif 000006
【図６】
0005517773.tif 000007
【図７】
0005517773.tif 000008
【図８】
0005517773.tif 000009
【図９】
0005517773.tif 000010
【図１０】
0005517773.tif 000011